(57)【要約】【課題】交換不要で繰返し使用の可能な回路遮断器を提供する。【解決手段】筒状ケースの第１の内端に基端において固定された第１のアームをケースの長手方向に延在させ、該第１のアームの末端は第１の電気回路に接続された固定接点を支持させ、ケースの第２の内端に支持されたバイメタル製の第２のアームをケースの長手方向に延在させ、該第２のアームの末端は第２の電気回路に接続された可動接点を固定接点に対向支持させ、ケースの第２の内端に圧縮バネを支持し、該バネに係合するセパレーターを第１と第２のアームの間をケースの長手方向に延在させ、該セパレーターには接点の相互接触用透孔を形成するとともに手動操作用のノブを形成して、ケースの長手方向の溝を通ってケースの外部に突出せしめ、第１と第２の電気回路が導通状態にあるときにはセパレーターの透孔を介して両接点が接触しているようにした。【選択図】　　　　図１
2004039373.tif 000002
【特許請求の範囲】
【請求項１】
筒状ケース（１）の第１の内端に基端において固定された第１のアーム（３）がケースの長手方向に延在し、該第１のアームの末端には第１の電気回路に接続された固定接点（５）が支持されており、ケースの第２の内端に基端において支持されたバイメタル製の第２のアーム（９）がケースの長手方向に延在し、該第２のアームの末端には第２の電気回路に接続された可動接点（１１）が固定接点に対向して支持されており、ケースの第２の内端にはさらに圧縮バネ（１３）が支持されており、該バネに基端において係合するセパレーター（１５）が第１と第２のアームの間をケースの長手方向に延在し、該セパレーターには接点の相互接触用透孔（１７）が形成されるとともに、手動操作用のノブ（１９）が形成されており、該ノブはケースに形成された長手方向の溝を通ってケースの外部に突出しており、第１と第２の電気回路が導通状態にあるときにはセパレーターの透孔を介して両接点が接触していることを特徴とする回路遮断器。
【発明の詳細な説明】
【０００１】
【産業上の利用分野】
この発明は回路遮断器に関するものであり、さらに詳しくはなんらかの原因で電気回路に過剰電流が発生した場合に電気回路を自動的に遮断する機器の改良に関するものである。
【０００２】
【従来技術】
電気回路の動作中にはなんらかの原因で過剰電流が発生することがある。この場合そのまま電気回路の動作を続けると、回路素子の発熱により火災を誘発したり、負荷に支障が出る危険がある。このような不都合を防止するために一般に電気回路中に遮断器を介在させて、過剰電流が発生したときには自動的に電気回路を遮断することが一般に行われている。
【０００３】
【発明が解決しようとする課題】
従来一般の回路遮断器（ガラス管ヒューズとも呼ばれている）は、筒状のケースの両端の金属製筒体間を１本のヒューズで接続した構造であり、１回でも過剰電流の発生によりヒューズが発熱焼損して回路を遮断したら、全体を取り換えなければならない。これは非常に不経済であり、省資源の観点から無駄であり、しかも作業的に面倒である。
【０００４】
かかる従来技術の現状に鑑みてこの発明の目的は、交換不要で繰返し使用の可能な回路遮断器を提供することにある。
【０００５】
【課題を解決するための手段】
このためこの発明にあっては、筒状ケースの第１の内端に基端において固定された第１のアームをケースの長手方向に延在させ、該第１のアームの末端には第１の電気回路に接続された固定接点を支持させ、ケースの第２の内端に基端において支持されたバイメタル製の第２のアームをケースの長手方向に延在させ、該第２のアームの末端には第２の電気回路に接続された可動接点を固定接点に対向して支持させ、ケースの第２の内端にはさらに圧縮バネを支持し、該バネに基端において係合するセパレーターを第１と第２のアームの間をケースの長手方向に延在させ、該セパレーターには接点の相互接触用透孔を形成するとともに手動操作用のノブを形成し、該ノブはケースに形成された長手方向の溝を通ってケースの外部に突出せしめ、第１と第２の電気回路が導通状態にあるときにはセパレーターの透孔を介して両接点が接触しているように構成したことを要旨とする。
【０００６】
【作用】
第１と第２の電気回路が導通状態である限りは、セパレーターの透孔を介して両接点が接触している。過剰電流が発生すると、それに起因する発熱によりバイメタル製の第２のアームが湾曲変形して可動接点を固定接点との接触状態から脱離させて両電気回路間を遮断する。同時に接点と透孔との係合が解けるので、セパレーターが圧縮バネに押されてケースの第１の内端に向けて移動して両接点間に入る。したがって回路遮断により発熱状態から第２のアームが降温して変形前の現状に復しても、両接点間の接触は妨げられる。過剰電流の原因が除かれた後で、手動によりノブを介してセパレーターをケースの第２の内端に向けて移動させると、その透孔が原位置に戻り、両接点が透孔を介して接触し、両電気回路が再び導通状態となる。
【０００７】
【実施例】
図１、２に示すのはこの発明の一実施例であって、遮断器の構成要素（部品）は全て筒状のケース１内に収容されている。このケース１は好ましくはプラスチック製であって、少なくともその長手方向中央部分は透明である。またケース１の両端部分には第１のアームと第２のアームを固定する金属製の保護用キャップ２１が嵌挿されている。
【０００８】
ケース１の第１の内端（図中左側）には第１のアーム３が基端において固定されるとともに、ケース１の長手方向に約中央部分まで延在している。第１のアーム３の末端には第１の電気回路（図示せず）に接続された固定接点５が支持されている。
【０００９】
ケース１の第２の内端には、ホルダー７を介して、バイメタル製の第２のアーム９が基端において支持されるとともに、ケース１の長手方向に約中央部分まで延在している。第２のアーム９の末端には第２の電気回路に接続された可動接点１１が固定接点５に対向した配置で支持されている。
【００１０】
第２のアーム９は、通常は両接点５、１１を接触状態に保つとともに、過剰電流が発生したときには発熱により変形して、両接点５、１１間の接触状態を解除する構造を有している。
【００１１】
ケース１の第２の内端には第２のアーム９の下側の位置でコイル状の圧縮バネ１３が支持されている。この圧縮バネ１３に基端を係合するセパレーター１５は第１と第２のアーム３、９の間をケース１の長手方向に延在している。
【００１２】
このセパレーター１５には両接点５、１１に対応する位置で透孔１７が厚さ方向に貫通形成されている。可動接点１１はこの透孔１７を介して下側の固定接点５と相互接触する。
【００１３】
またセパレーター１５の側部にはノブ１９が突出形成されている。これに対向してケース１には長手方向の溝（図示せず）が形成されており、ノブ１９が該溝を介してケース１外に突出し、外部から手動によりこのノブ１９を操作することができる。
【００１４】
両電気回路に通常の電流が流れている限りでは、第２のアーム９は変形することなく、可動接点１１がセパレーター１５の透孔１７を介して固定接点５と相互接触している。このとき圧縮バネ１３に付勢されてセパレーター１５は可動接点１１に押圧されている。
【００１５】
なんらかの原因で両電気回路間に過剰電流が流れると、第２のアーム９が発熱変形し、可動接点１１が固定接点５から離れて、セパレーター１５の透孔１７から脱出する。この結果圧縮バネ１３に付勢されたセパレーター１５はケース１の第１の内端に向けて移動し、その非透孔部分が両接点５、１１の間に来る。したがって両電気回路間は遮断状態に保持される。このときノブ１９もケース１の溝に沿ってセパレーター１５と一緒に移動する。
【００１６】
過剰電流の原因が除かれたら、圧縮バネ１３の付勢に抗して手動でノブ１９を元に位置に戻してやる。すると透孔１７が両接点５、１１間の位置に戻る。この時点では降熱の結果第２のアーム９は原形に復帰しているので、両接点５、１１は透孔１７を介して再び相互接触状態に戻り、両電気回路が導通する。
【００１７】
この発明の回路遮断器の実際の製品の寸法は例えば長さが２０ｍｍくらいで、直径が５ｍｍくらいの非常に小さなものである。
【００１８】
【発明の効果】
この発明の回路遮断器は遮断動作後も繰返し使用が可能なので、経済的であり、省資源に貢献し、作業的にも手間を要しないのである。
【図面の簡単な説明】
【図１】この発明の回路遮断器の一例を示す一部削除斜視図である。
【図２】同じく断面側面図である。
【符号の説明】
１：　　ケース
３：　　第１のアーム
５：　　固定接点
９：　　第２のアーム
１１：　可動接点
１３：　圧縮バネ
１５：　セパレーター
１７：　透孔
１９：　ノブ
【図１】
2004039373.tif 000003
【図２】
2004039373.tif 000004